(57)【要約】【課題】タブ保持部が動いたときのタブ端子のはんだ部の破損が抑制できる端子台を得ることを目的とする。【解決手段】端子台は、電線の被覆を剥いだ導体部と結線し、電気的に接続する電線接続部と、基板に実装されたタブ端子を嵌合し、電気的に接続するタブ保持部と、を備え、タブ保持部及びタブ端子は、電線を電線接続部に挿入して結線する方向と平行に延伸する。【選択図】図７
2020145151.tif 000002
【特許請求の範囲】
【請求項１】
電線の被覆を剥いだ導体部と結線し、電気的に接続する電線接続部と、
基板に実装されたタブ端子を嵌合し、電気的に接続するタブ保持部と、
を備え、
前記タブ保持部及び前記タブ端子は、前記電線を前記電線接続部に挿入して結線する方向と平行に延伸する端子台。
【請求項２】
前記タブ保持部を前記基板に対して有限範囲の移動を許容しつつ固定した固定部を備える請求項１に記載の端子台。
【請求項３】
前記タブ端子は、前記基板から平板状に突出し、
前記タブ保持部は、対向間距離を平板状の前記タブ端子の厚みより狭く形成された１対の接触片を有し、１対の前記接触片によって挟んだ平板状の前記タブ端子を反発力で挟持して嵌合する請求項１又は請求項２に記載の端子台。
【請求項４】
１対の前記接触片は、平板状の前記タブ端子を挟んだ接点を有し、
平板状の前記タブ端子における前記電線を前記電線接続部に挿入する方向と平行に延伸した長さは、前記接点の前記基板に対するずれが前記固定部によって許容された前記有限範囲よりも長い請求項２に従属する請求項３に記載の端子台。
【請求項５】
前記電線接続部と前記タブ保持部とは、一体化された接続金具に形成される請求項１〜請求項４のいずれか１項に記載の端子台。
【請求項６】
前記接続金具を内部に配置した筐体を備える請求項５に記載の端子台。
【請求項７】
前記電線接続部は、挿入された前記電線の前記導体部に食い込んで接続される鎖錠部を有する請求項１〜請求項６のいずれか１項に記載の端子台。
【請求項８】
前記筐体に配置され、前記鎖錠部に係合し、前記鎖錠部に解錠力を付与することによって前記電線の前記導体部と前記電線接続部との結線を開放する解除ボタンを備える請求項６又は請求項６に従属する請求項７に記載の端子台。
【請求項９】
前記筐体を前記基板に固定した筐体固定部を備え、
前記固定部は、前記筐体固定部によって前記筐体を前記基板に固定し、前記筐体に配置された前記解除ボタンを前記鎖錠部に係合し、前記接続金具の移動を前記有限範囲に制限することによって構成される請求項２及び請求項７に従属する請求項８に記載の端子台。
【請求項１０】
前記電線を前記電線接続部に挿入する方向とは直交方向にて前記筐体固定部に並んで設けられた回り止め部を備える請求項９に記載の端子台。
【請求項１１】
前記鎖錠部は、前記電線の前記導体部に撓みながら食い込む鎖錠片と、前記鎖錠片に対向した平面を有し、前記電線の前記導体部と電気的に接続される導通片と、を有する請求項７又は請求項７に従属する請求項８〜請求項１０のいずれか１項に記載の端子台。
【請求項１２】
前記鎖錠片の端部は、前記電線の前記導体部に撓みながら食い込む第１領域と、前記解除ボタンに係合された第２領域と、を有する請求項１１に記載の端子台。
【請求項１３】
前記電線接続部は、前記鎖錠片よりも前記電線を前記電線接続部に挿入する方向の奥側に配置され、前記導通片に対して前記電線の前記導体部を押し付ける押圧片を有する請求項１１又は請求項１２に記載の端子台。
【発明の詳細な説明】
【技術分野】
【０００１】
本発明は、電線接続部とタブ保持部とを備える端子台に関する。
【背景技術】
【０００２】
従来、端子台は、外部配線用端子と内部配線用端子とを備える。外部配線用端子と内部配線用端子とは、端子台の内部にて電気的に接続されている。外部配線用端子は、電源線に接続される。内部配線用端子は、照明器具内の点灯装置に電線を介して接続される。そのため、端子台の内部配線の電線費用又は組み立て費用が発生する。
【０００３】
特許文献１には、上記内部配線を削除するため、端子台が電線接続部とタブ保持部とを備え、タブ保持部が基板上のタブ端子に差し込まれて接続される技術が開示されている。
【先行技術文献】
【特許文献】
【０００４】
【特許文献１】特開平９−２４５８６２号公報
【発明の概要】
【発明が解決しようとする課題】
【０００５】
しかしながら、特許文献１の技術では、電線挿入方向とタブ保持部及びタブ端子の延伸する方向とが直交する。このため、電線挿入時などにタブ保持部が動いたことによる応力がタブ端子に加わり易く、タブ端子のはんだ部が破損する課題がある。
【０００６】
本発明は、上記課題を解決するためのものであり、タブ保持部が動いたときのタブ端子のはんだ部の破損が抑制できる端子台を得ることを目的とする。
【課題を解決するための手段】
【０００７】
本発明の端子台は、電線の被覆を剥いだ導体部と結線し、電気的に接続する電線接続部と、基板に実装されたタブ端子を嵌合し、電気的に接続するタブ保持部と、を備え、前記タブ保持部及び前記タブ端子は、前記電線を前記電線接続部に挿入して結線する方向と平行に延伸するものである。
【発明の効果】
【０００８】
本発明に係る端子台によれば、タブ保持部及びタブ端子は、電線を電線接続部に挿入して結線する方向と平行に延伸している。これにより、電線挿入時あるいは電線に張力が加わってタブ保持部が動いても、電線を電線接続部に挿入して結線する方向に対して平行に延伸したタブ保持部とタブ端子との相対位置がずれるだけで接続し続ける。これにより、タブ保持部が動いたことによる応力がタブ端子に加わらない。したがって、タブ保持部が動いたときのタブ端子のはんだ部の破損が抑制できる。
【図面の簡単な説明】
【０００９】
【図１】本発明の実施の形態１に係る電源及び端子台を示す配線図である。
【図２】本発明の実施の形態１に係る基板に設置された端子台を示す斜視図である。
【図３】本発明の実施の形態１に係る基板に設置された端子台を示す分解斜視図である。
【図４】本発明の実施の形態１に係る端子台を上から見て示す斜視図である。
【図５】本発明の実施の形態１に係る端子台を下から見て示す斜視図である。
【図６】本発明の実施の形態１に係る端子台を示す分解斜視図である。
【図７】本発明の実施の形態１に係る接続金具を示す斜視図である。
【図８】本発明の実施の形態１に係る接続金具を示す側面図である。
【図９】本発明の実施の形態１に係る接続金具を示す下面図である。
【図１０】本発明の実施の形態１に係る１対の接触片の対向間距離とタブ端子の厚みとの関係を図８のＡ−Ａ線の縦断面にて示す説明図である。
【図１１】本発明の実施の形態１に係る１対の接触片がタブ端子に嵌合した状態の端子台を縦断面にて示す説明図である。
【図１２】本発明の実施の形態１に係る１対の接触片がタブ端子に嵌合した状態を拡大した縦断面にて示す説明図である。
【図１３】本発明の実施の形態１に係る解除ボタンが鎖錠片に係合した状態を拡大した縦断面にて示す説明図である。
【図１４】本発明の実施の形態１に係る電線の導体部が鎖錠片に挿入される状態を拡大した縦断面にて示す説明図である。
【図１５】本発明の実施の形態１に係る電線の導体部が鎖錠片に挿入された状態を拡大した縦断面にて示す説明図である。
【図１６】本発明の実施の形態１に係る挿入される電線の導体部と解除ボタンに係合された鎖錠片との関係を示す斜視図である。
【発明を実施するための形態】
【００１０】
以下、図面に基づいて本発明の実施の形態が説明されている。なお、各図において、同一の符号を付したものは、同一の又はこれに相当するものであり、これは明細書の全文において共通している。また、断面図の図面においては、視認性に鑑みて適宜ハッチングが省略されている。さらに、明細書全文に示す構成要素の形態は、あくまで例示であってこれらの記載に限定されるものではない。
【００１１】
実施の形態１．
＜端子台の配線状態＞
図１は、本発明の実施の形態１に係る電源２００及び端子台１００を示す配線図である。図１に示す端子台１００は、電源２００に電線１を介して接続されている。端子台１００は、照明器具などに電気を供給するために使用される。端子台１００は、複数用いられて電源２００からの電力を中継しながら照明器具などに電気を供給する。端子台１００には、同極の端子が複数設けられている。これにより、ある端子台１００が電源２００からの電力を中継し、別の端子台１００が先の端子台１００と電線１を介して接続されて中継された電力を得る。
【００１２】
＜基板１０に設置された端子台１００の構成＞
図２は、本発明の実施の形態１に係る基板１０に設置された端子台１００を示す斜視図である。図３は、本発明の実施の形態１に係る基板１０に設置された端子台１００を示す分解斜視図である。
【００１３】
図２及び図３に示すように、端子台１００は、基板１０に設置されている。基板１０には、照明器具などに電気的に接続されるタブ端子１１が設けられている。タブ端子１１は、基板１０から上方に平板状に突出している。タブ端子１１は、電線の導体部が挿入されて結線する方向と平行に延伸している。ここでは、３つのタブ端子１１が１つの基板１０から上方に突出している。３つのタブ端子１１は、左右方向に並列して配置されている。３つのタブ端子１１は、平面を並列方向に向けている。
【００１４】
基板１０は、平板状である。基板１０には、端子台１００を固定するボルト２を挿通する挿通孔１２が形成されている。基板１０には、端子台１００の不要な回転動作を規制するための回り止め突起２６が差し込まれる回り止め穴１３が形成されている。回り止め穴１３は、電線１を端子台１００に挿入する方向とは直交方向にてボルト２の挿通孔１２に並んで設けられている。
【００１５】
端子台１００は、筐体２０に覆われている。端子台１００は、基板１０にボルト２とナット３とによって固定されている。このため、端子台１００及び基板１０のそれぞれには、ボルト２を挿通する挿通孔２２、挿通孔２５又は挿通孔１２が形成されている。ボルト２は、端子台１００の上面側に頭部を係止されるように挿通孔２２に差し込まれている。ナット３は、基板１０の下面側からボルト２のネジ部の先端に螺合する。ボルト２及びナット３は、筐体２０を基板１０に固定した筐体固定部である。なお、筐体固定部による端子台１００の基板１０への固定方法は、ボルト２及びナット３を用いる手法に限定されない。
【００１６】
端子台１００には、電源２００又は中継した他の端子台１００からの電線１が差し込まれる。端子台１００は、１つのタブ端子１１に接続される電線１として、電力を供給される入力側の電線１と、自身を中継機として電力を別の端子台１００に送る送り側の電線１と、がある。
【００１７】
＜端子台１００の構成＞
図４は、本発明の実施の形態１に係る端子台１００を上から見て示す斜視図である。図５は、本発明の実施の形態１に係る端子台１００を下から見て示す斜視図である。図６は、本発明の実施の形態１に係る端子台１００を示す分解斜視図である。
【００１８】
図４、図５及び図６に示すように、端子台１００は、筐体２０を備える。筐体２０は、上面部及び側面部を構成した上カバー２０ａと、下面部を構成した下カバー２０ｂと、を有する。筐体２０は、上カバー２０ａを下カバー２０ｂの周縁部に嵌め込み、箱状に形成されている。上カバー２０ａ及び下カバー２０ｂは、樹脂製である。
【００１９】
上カバー２０ａの正面方向の側面部には、電線１が挿入される電線孔２１が形成されている。ここでは、端子台１００が３つのタブ端子１１に電気的に接続されるため、３つの入力側の電線１が挿入される電線孔２１と３つの送り側の電線１が挿入される電線孔２１とを合わせて６つの電線孔２１が形成されている。
【００２０】
上カバー２０ａの上面部には、ボルト２の頭部を係止する段部を有する挿通孔２２が形成されている。ボルト２は、基板１０まで挿通され、頭部を挿通孔２２の段部に係止している。
【００２１】
上カバー２０ａの上面部には、作業者が触れるように突出した解除ボタン２３が設けられている。解除ボタン２３は、作業者によって押下されることにより、端子台１００に接続された電線１を開放できる。ここでは、端子台１００が３つのタブ端子１１に電気的に接続されるため、各タブ端子１１に接続された２つの電線１を開放できるように３つの解除ボタン２３が設けられている。解除ボタン２３は、樹脂製である。
【００２２】
下カバー２０ｂには、タブ端子１１が差し込まれる端子孔２４が形成されている。ここでは、端子台１００が３つのタブ端子１１に電気的に接続されるため、３つの端子孔２４が形成されている。
【００２３】
下カバー２０ｂには、ボルト２のネジ部を挿通する挿通孔２５が形成されている。上カバー２０ａの上面部の挿通孔２２と下カバー２０ｂの挿通孔２５とは、ボルト２が真っ直ぐ基板１０を突き抜けるように中心をボルト２の挿通方向に一致させている。
【００２４】
下カバー２０ｂの表面には、基板１０側に突出し、基板１０の回り止め穴１３に差し込まれて端子台１００の不要な回転動作を規制する回り止め突起２６が形成されている。回り止め突起２６は、電線１を端子台１００に挿入する方向とは直交方向にてボルト２の挿通孔２５に並んで設けられている。回り止め穴１３及び回り止め突起２６は、回り止め部である。
【００２５】
図６に示すように、端子台１００は、筐体２０の内部に接続金具３０を備える。接続金具３０は、タブ端子１１に電気的に接続されるとともに、端子台１００内に差し込まれた電線１の先端の剥いた導体部１ａに電気的に接続される。ここでは、端子台１００が３つのタブ端子１１に電気的に接続されるため、各タブ端子１１に接続される３つの接続金具３０が配置されている。接続金具３０は、導通する金属の板金製である。
【００２６】
解除ボタン２３は、筐体２０の上カバー２０ａに配置され、上カバー２０ａの開口から下方に突き出て接続金具３０に係合する脚部２３ａを有する。脚部２３ａは、接続金具３０に解錠力を付与することによって電線１の導体部１ａと接続金具３０との結線を開放する。
【００２７】
下カバー２０ｂの内部には、接続金具３０の中心の隙間４０に入り込んで接続金具３０の動き方向を矯正する中心ガイド２７が設けられている。中心ガイド２７は、接続金具３０の中心の隙間４０が前後方向に縦長であるため、隙間４０よりも厚みを薄くして前後方向に延伸した板状体である。中心ガイド２７は、端子台１００の内部に差し込まれたタブ端子１１よりも正面方向に設けられている。ここでは、３つの接続金具３０が端子台１００の内部に配置されるため、３つの中心ガイド２７が設けられている。
【００２８】
下カバー２０ｂの内部には、隣り合う接続金具３０を仕切って接続金具３０同士の接触を防止する接触防止ガイド２８が設けられている。接触防止ガイド２８は、端子台１００の内部の前後方向の全てにわたって延伸した板状体である。ここでは、３つの接続金具３０が端子台１００の内部に配置されるため、２つの接触防止ガイド２８が設けられている。
【００２９】
＜接続金具３０の構成＞
図７は、本発明の実施の形態１に係る接続金具３０を示す斜視図である。図８は、本発明の実施の形態１に係る接続金具３０を示す側面図である。図９は、本発明の実施の形態１に係る接続金具３０を示す下面図である。
【００３０】
図７、図８及び図９に示すように、接続金具３０は、電線接続部３１とタブ保持部３２とを一体化して備える。つまり、接続金具３０は、電線接続部３１とタブ保持部３２とを導通可能な金属製の板金を加工して一体化して形成されている。電線接続部３１は、挿入された電線１の被覆を剥いだ導体部１ａと結線し、電気的に接続する。電線接続部３１は、接続金具３０の本体３３から左右の２方向に分岐して２つ設けられている。タブ保持部３２は、基板１０に実装されたタブ端子１１を嵌合し、電気的に接続する。タブ保持部３２は、接続金具３０の本体３３を用い、電線１を端子台１００に挿入する方向にて電線接続部３１よりも奥側に構成されている。接続金具３０の本体３３は、元の板金の平面を上下方向に立て、元の板金を、電線１を端子台１００に挿入する方向にてタブ保持部３２の奥端部でＵ字に屈曲させて形成されている。このため、接続金具３０の本体３３は、中心に縦に貫通した隙間４０を有して元の板金の２部分で構成されている。
【００３１】
＜電線接続部３１の構成＞
電線接続部３１は、端子台１００の電線孔２１の直近に、電線１の導体部１ａと接続される鎖錠部３１ａを有する。鎖錠部３１ａは、鎖錠片３１ｂと導通片３１ｃとを有する。鎖錠片３１ｂと導通片３１ｃとの間の間隔は、電線１の導体部１ａの外径よりも狭い。
【００３２】
鎖錠片３１ｂは、矩形形状であり、下部以外を切り離され、下部にて基部３１ｄに繋がっている。鎖錠片３１ｂは、基部３１ｄから電線１の差し込み方向の奥に端部３４を向けて傾斜している。鎖錠片３１ｂは、挿入された電線１の導体部１ａに撓みながら食い込む。このため、鎖錠片３１ｂの端部３４は、角部のある元の板金の縁部を用いている。鎖錠片３１ｂの端部３４は、電線１の導体部１ａに撓みながら食い込む第１領域３４ａと、解除ボタン２３の脚部２３ａに係合された第２領域３４ｂと、を有する。第１領域３４ａと第２領域３４ｂとを有する鎖錠片３１ｂの端部３４は、一直線状に形成されている。第１領域３４ａが第２領域３４ｂよりも接続金具３０の本体３３に近い側に設けられている。
【００３３】
導通片３１ｃは、鎖錠片３１ｂに対向して下を向く平面を有し、電線１の導体部１ａと電気的に接続される。導通片３１ｃは、鎖錠片３１ｂの上方向に配置されている。導通片３１ｃの前側端部は、鎖錠片３１ｂの端部３４よりも正面方向の前側に突出している。導通片３１ｃの第２領域３４ｂに対する上方向投影領域は、切り欠かれて切欠き部３５に形成されている。これにより、解除ボタン２３の脚部２３ａは、導通片３１ｃの切欠き部３５を通過して鎖錠片３１ｂの端部３４の第２領域３４ｂに係合されている。
【００３４】
電線接続部３１は、押圧片３１ｅを有する。押圧片３１ｅは、鎖錠片３１ｂよりも電線１を電線接続部３１に挿入する方向の奥側に配置され、導通片３１ｃに対して電線１の導体部１ａを押し付ける。押圧片３１ｅは、矩形形状であり、下部以外を切り離され、下部にて基部３１ｄに繋がっている。押圧片３１ｅは、基部３１ｄから電線１の差し込み方向の奥に端部を向けて傾斜している。押圧片３１ｅと導通片３１ｃとの間の間隔は、電線１の導体部１ａの外径よりも狭い。押圧片３１ｅの導体部１ａが押し付けられる端部は、電線１の導体部１ａの挿入及び引き抜きを考慮し、元の板金の縁部までの途中にて、電線１の導体部１ａに滑らかに接触するように上方向に凸曲面を形成している。
【００３５】
電線接続部３１は、鎖錠片３１ｂと押圧片３１ｅとを接続金具３０の本体３３に接続した基部３１ｄを有する。基部３１ｄは、鎖錠片３１ｂを端子台１００の前方に接続するとともに、押圧片３１ｅを端子台１００の後方に接続している。基部３１ｄは、板金の平面を立てた本体３３の下端から下カバー２０ｂの底面に接触する平面を有し、接続金具３０が倒れないように維持している。
【００３６】
＜タブ保持部３２の構成＞
タブ保持部３２は、接続金具３０の本体３３を用い、電線１を電線接続部３１に挿入して結線する方向と平行に延伸して形成されている。タブ保持部３２は、１対の接触片３２ａを有する。１対の接触片３２ａは、対向間距離Ｌ２を平板状のタブ端子１１の厚みＬａより狭く形成されている。１対の接触片３２ａは、平板状のタブ端子１１を反発力で挟持して嵌合する。これにより、１対の接触片３２ａは、平板状のタブ端子１１を挟んだ水平方向に延伸した接点３２ｂを有する。１対の接触片３２ａは、前後方向両端部を切り込まれ、接続金具３０の本体３３の中心の上下方向に貫通した隙間４０に向けて切り起こして山折りに形成されている。１対の接触片３２ａの山折り部分がバネ性を有する接点３２ｂである。
【００３７】
なお、タブ保持部３２は、反発力による挟持によって十分な保持力を備える。しかし、更なる信頼性を求める場合あるいは外的要因でタブ保持部３２が応力を受けるおそれがある場合に備え、固定ネジを用いて接続金具３０を端子台１００に固定しても良い。この場合には、固定ネジは、端子台１００の上カバー２０ａの上面部側から挿入され、基板１０の裏面側にて固定ナットを用いて固定されても良い。
【００３８】
＜１対の接触片３２ａの対向間距離Ｌ２とタブ端子１１の厚みＬａとの関係＞
図１０は、本発明の実施の形態１に係る１対の接触片３２ａの対向間距離Ｌ２とタブ端子１１の厚みＬａとの関係を図８のＡ−Ａ線の縦断面にて示す説明図である。図１０に示すように、２つの板金による接続金具３０の本体３３の対向間距離Ｌ１は、タブ端子１１の厚みＬａより広い空間に形成されている。１対の接触片３２ａの対向間距離Ｌ２は、タブ端子１１の厚みＬａより狭い空間に形成されている。
【００３９】
＜１対の接触片３２ａがタブ端子１１に嵌合した状態＞
図１１は、本発明の実施の形態１に係る１対の接触片３２ａがタブ端子１１に嵌合した状態の端子台１００を縦断面にて示す説明図である。図１２は、本発明の実施の形態１に係る１対の接触片３２ａがタブ端子１１に嵌合した状態を拡大した縦断面にて示す説明図である。
【００４０】
図１１及び図１２に示すように、タブ保持部３２は、１対の接触片３２ａによって挟んだ平板状のタブ端子１１を反発力で挟持して嵌合している。タブ端子１１がタブ保持部３２に挿入された状態では、１対の接触片３２ａがタブ端子１１の厚みＬａに応じて広がった分の反発力によってタブ端子１１の表裏の平面との接触を維持している。このため、タブ端子１１が平面に対して直交した水平方向である延伸方向に動いても、反発力によって１対の接触片３２ａに接触し続けている。
【００４１】
＜電線１の挿入時の動作＞
図１３は、本発明の実施の形態１に係る解除ボタン２３が鎖錠片３１ｂに係合した状態を拡大した縦断面にて示す説明図である。図１３に示すように、解除ボタン２３の脚部２３ａは、切欠き部３５を介して鎖錠片３１ｂの端部３４における第２領域３４ｂに係合している。解除ボタン２３は、作業者の押下により鎖錠部３１ａに解錠力を付与することによって電線１の導体部１ａと電線接続部３１との結線を開放する。
【００４２】
図１４は、本発明の実施の形態１に係る電線１の導体部１ａが鎖錠片３１ｂに挿入される状態を拡大した縦断面にて示す説明図である。図１４に示すように、電線１が電線孔２１に差し込まれる。電線１の差し込み方向の鎖錠片３１ｂの端部３４は、第１領域３４ａであり、解除ボタン２３の脚部２３ａに係合された第２領域３４ｂ以外の部分である。このため、第１領域３４ａは、電線１の差し込みに応じて後方に撓む。
【００４３】
図１５は、本発明の実施の形態１に係る電線１の導体部１ａが鎖錠片３１ｂに挿入された状態を拡大した縦断面にて示す説明図である。図１５に示すように、電線１が完全に差し込まれると、鎖錠片３１ｂは、特に第１領域３４ａ側を大きく撓ませながら電線１の導体部１ａに食い込む。かつ、押圧片３１ｅは、導通片３１ｃに対して電線１の導体部１ａを押し付ける。
【００４４】
＜電線１の挿入範囲＞
図１６は、本発明の実施の形態１に係る挿入される電線１の導体部１ａと解除ボタン２３に係合された鎖錠片３１ｂとの関係を示す斜視図である。図１６に示すように、電線１は、鎖錠片３１ｂの端部３４の第１領域３４ａに向かう。第１領域３４ａは、解除ボタン２３の脚部２３ａに係合された第２領域３４ｂに隣接した領域である。第１領域３４ａでは、挿入された電線１の導体部１ａが鎖錠片３１ｂと導通片３１ｃとの間に食い込んで電気的に接続される。
【００４５】
＜第１領域３４ａと第２領域３４ｂとの電線１の挿入時の関係＞
鎖錠片３１ｂの端部３４は、電線１の導体部１ａに撓みながら食い込む第１領域３４ａと、解除ボタン２３に係合された第２領域３４ｂと、を有する。第１領域３４ａは、電線１が差し込まれると、後方に撓んでいる。一方、第２領域３４ｂは、解除ボタン２３の脚部２３ａが第２領域３４ｂの撓みを防止して第１領域３４ａの撓み量を規制している。
【００４６】
＜ずれ許容範囲＞
タブ保持部３２は、基板１０に対して有限範囲の移動を許容しつつ固定される固定構造を備える。固定構造は、ボルト２及びナット３によって筐体２０を基板１０に固定し、筐体２０に配置された解除ボタン２３を鎖錠部３１ａの端部３４の第２領域３４ｂに係合し、接続金具３０の移動を移動前状態から移動後状態までの有限範囲のずれ許容範囲に制限することによって構成されている。ずれ許容範囲は、第１領域３４ａの撓み量に起因する。固定構造が固定部である。
【００４７】
上記有限範囲のずれ許容範囲が存在するので、タブ端子１１は、有限の延伸長さを有する。すなわち、平板状のタブ端子１１における電線１を電線接続部３１に挿入する方向と平行に延伸した長さは、接点３２ｂの基板１０に対するずれが固定構造によって許容された有限範囲であるずれ許容範囲よりも長い。これにより、タブ保持部３２が動いても、タブ保持部３２とタブ端子１１との電気的な接続が維持される。
【００４８】
ここで、タブ保持部３２を有する接続金具３０が動く場合に、接続金具３０の本体３３の隙間４０が中心ガイド２７に差し込まれ、接続金具３０の移動が前後方向のみに矯正されている。これにより、電線１の挿入時あるいは電線１に張力が加わってタブ保持部３２を有する接続金具３０が動いても、他の方向へのずれが無く、接続金具３０の移動が許容されても端子台１００が故障し難い。
【００４９】
＜作用＞
以上により、電線１の挿入時の接続の信頼性と経時劣化に強い信頼性とを有する安価な端子台１００が提供できる。
【００５０】
＜実施の形態１の効果＞
実施の形態１によれば、端子台１００は、電線１の被覆を剥いだ導体部１ａと結線し、電気的に接続する電線接続部３１を備える。端子台１００は、基板１０に実装されたタブ端子１１を嵌合し、電気的に接続するタブ保持部３２を備える。タブ保持部３２及びタブ端子１１は、電線１を電線接続部３１に挿入して結線する方向と平行に延伸している。
【００５１】
この構成によれば、電線１の挿入時あるいは電線１に張力が加わってタブ保持部３２を有する接続金具３０が動いても、電線１を電線接続部３１に挿入する方向に対して平行に延伸したタブ保持部３２とタブ端子１１との相対位置がずれるだけで接続し続ける。これにより、タブ保持部３２が動いたことによる応力がタブ端子１１に加わらない。したがって、タブ保持部３２が動いたときのタブ端子１１のはんだ部の破損が抑制できる。
【００５２】
実施の形態１によれば、端子台１００は、タブ保持部３２を基板１０に対して有限範囲であるずれ許容範囲の移動を許容しつつ固定した固定部としての固定構造を備える。
【００５３】
この構成によれば、電線１の挿入時あるいは電線１に張力が加わってタブ保持部３２が基板１０上にて動く範囲が固定構造によって移動を許容された有限範囲のずれ許容範囲に限定される。これにより、端子台１００に搭載されたタブ保持部３２と基板１０に実装されたタブ端子１１との相対位置が接続状態を維持しながら固定構造のずれ許容範囲内でずらせられる。
【００５４】
実施の形態１によれば、タブ端子１１は、基板１０から平板状に突出する。タブ保持部３２は、対向間距離Ｌ２を平板状のタブ端子１１の厚みＬａより狭く形成された１対の接触片３２ａを有する。タブ保持部３２は、１対の接触片３２ａによって挟んだ平板状のタブ端子１１を反発力で挟持して嵌合している。
【００５５】
この構成によれば、電線１の挿入時あるいは電線１に張力が加わってタブ保持部３２を有する接続金具３０が動いても、電線１を電線接続部３１に挿入する方向に対して平行に延伸したタブ保持部３２とタブ端子１１との相対位置が接続状態を維持しながらずらせられる。
【００５６】
実施の形態１によれば、１対の接触片３２ａは、平板状のタブ端子１１を挟んだ接点３２ｂを有する。平板状のタブ端子１１における電線１を電線接続部３１に挿入する方向と平行に延伸した長さは、接点３２ｂの基板１０に対するずれが固定部としての固定構造によって許容された有限範囲であるずれ許容範囲よりも長い。
【００５７】
この構成によれば、電線１の挿入時あるいは電線１に張力が加わってタブ保持部３２が基板１０上にて動いても、タブ保持部３２の動き方向のタブ端子１１の長さが接点３２ｂの有限範囲に制限されたずれ許容範囲よりも長くなる。これにより、端子台１００に搭載されたタブ保持部３２と基板１０に実装されたタブ端子１１との相対位置が接続状態を維持しながら固定構造のずれ許容範囲内にてずらせられる。
【００５８】
実施の形態１によれば、電線接続部３１とタブ保持部３２とは、一体化された接続金具３０に形成されている。
【００５９】
この構成によれば、部品点数が削減でき、安価に端子台１００が製造できる。また、電線１の挿入時あるいは電線１に張力が加わって電線接続部３１が動くと、タブ保持部３２も同時に動ける。
【００６０】
実施の形態１によれば、端子台１００は、接続金具３０を内部に配置した筐体２０を備える。
【００６１】
この構成によれば、接続金具３０に構成されたタブ保持部３２が外部に露出せず、継時劣化によって錆などによるタブ保持部３２とタブ端子１１との導通不良が生じず、端子台１００の耐久性が向上できる。
【００６２】
実施の形態１によれば、電線接続部３１は、挿入された電線１の導体部１ａに食い込んで接続される鎖錠部３１ａを有する。
【００６３】
この構成によれば、電線接続部３１が電線１の導体部１ａと電気的に接続される。
【００６４】
実施の形態１によれば、端子台１００は、筐体２０に配置され、鎖錠部３１ａに係合し、鎖錠部３１ａに解錠力を付与することによって電線１の導体部１ａと電線接続部３１との結線を開放する解除ボタン２３を備える。
【００６５】
この構成によれば、解除ボタン２３が鎖錠部３１ａの鎖錠片３１ｂを押し下げて解錠力を付与することによって電線１の導体部１ａと電線接続部３１との結線を開放できる。
【００６６】
実施の形態１によれば、端子台１００は、筐体２０を基板１０に固定した筐体固定部としてのボルト２及びナット３を備える。固定構造は、ボルト２及びナット３によって筐体２０を基板１０に固定し、筐体２０に配置された解除ボタン２３を鎖錠部３１ａの端部３４の第２領域３４ｂに係合し、接続金具３０の移動を有限範囲であるずれ許容範囲に制限することによって構成されている。
【００６７】
この構成によれば、固定構造によるタブ保持部３２の有限範囲のずれ許容範囲が構成できる。
【００６８】
実施の形態１によれば、端子台１００は、電線１を電線接続部３１に挿入する方向とは直交方向にて筐体固定部としてのボルト２及びナット３に並んで設けられた回り止め部としての回り止め突起２６及び回り止め穴１３を備える。
【００６９】
この構成によれば、電線１の挿入時あるいは電線１に張力が加わってタブ保持部３２が基板１０上にて動くときに、回り止め突起２６及び回り止め穴１３が端子台１００における電線１を電線接続部３１に挿入する方向以外への回転などの動きを制限できる。
【００７０】
実施の形態１によれば、鎖錠部３１ａは、電線１の導体部１ａに撓みながら食い込む鎖錠片３１ｂを有する。鎖錠部３１ａは、鎖錠片３１ｂに対向した平面を有し、電線１の導体部１ａと電気的に接続される導通片３１ｃを有する。
【００７１】
この構成によれば、電線接続部３１における電線１の導体部１ａと接続される鎖錠部３１ａが簡素に構成できる。
【００７２】
実施の形態１によれば、鎖錠片３１ｂの端部３４は、電線１の導体部１ａに撓みながら食い込む第１領域３４ａと、解除ボタン２３の脚部２３ａに係合された第２領域３４ｂと、を有する。
【００７３】
この構成によれば、鎖錠片３１ｂの端部３４における電線１の導体部１ａに撓みながら食い込む第１領域３４ａの移動が解除ボタン２３の脚部２３ａに係合された第２領域３４ｂによって有限範囲に制限できる。これにより、固定構造による電線接続部３１と伴に接続金具３０に構成されたタブ保持部３２の有限範囲のずれ許容範囲が構成できる。
【００７４】
実施の形態１によれば、電線接続部３１は、鎖錠片３１ｂよりも電線１を電線接続部３１に挿入する方向の奥側に配置され、導通片３１ｃに対して電線１の導体部１ａを押し付ける押圧片３１ｅを有する。
【００７５】
この構成によれば、電線接続部３１が電線１の導体部１ａに対してより確実に電気的に接続できる。
【符号の説明】
【００７６】
１  電線、１ａ  導体部、２  ボルト、３  ナット、１０  基板、１１  タブ端子、１２  挿通孔、１３  回り止め穴、２０  筐体、２０ａ  上カバー、２０ｂ  下カバー、２１  電線孔、２２  挿通孔、２３  解除ボタン、２３ａ  脚部、２４  端子孔、２５  挿通孔、２６  回り止め突起、２７  中心ガイド、２８  接触防止ガイド、３０  接続金具、３１  電線接続部、３１ａ  鎖錠部、３１ｂ  鎖錠片、３１ｃ  導通片、３１ｄ  基部、３１ｅ  押圧片、３２  タブ保持部、３２ａ  接触片、３２ｂ  接点、３３  本体、３４  端部、３４ａ  第１領域、３４ｂ  第２領域、３５  切欠き部、４０  隙間、１００  端子台、２００  電源。
【図１】
2020145151.tif 000003
【図２】
2020145151.tif 000004
【図３】
2020145151.tif 000005
【図４】
2020145151.tif 000006
【図５】
2020145151.tif 000007
【図６】
2020145151.tif 000008
【図７】
2020145151.tif 000009
【図８】
2020145151.tif 000010
【図９】
2020145151.tif 000011
【図１０】
2020145151.tif 000012
【図１１】
2020145151.tif 000013
【図１２】
2020145151.tif 000014
【図１３】
2020145151.tif 000015
【図１４】
2020145151.tif 000016
【図１５】
2020145151.tif 000017
【図１６】
2020145151.tif 000018